(57)【要約】【課題】一つのサイズで異なるサイズや縦横比の額縁等を収納可能な額縁用梱包材及び梱包材用内板を提供する。【解決手段】本発明による額縁用梱包材は、蓋板部と、内板部と、底板部とを有する梱包材であって、前記内板部は、矩形状の第１の折曲部と、前記第１の折曲部の内側に形成された、矩形状の開口端点と、前記第１の折曲部と、前記開口端点との間に形成された、複数の矩形状の第２の折曲部と、前記開口端点と前記第１の折曲部の各頂点とを結ぶ線上に設けられた、弱体部とを有し、前記第２の折曲部の各頂点は、前記弱体部が設けられた前記線上に位置し、前記弱体部の一部又は全部を切り離し、前記第２の折曲部の一部を折り曲げることにより、矩形状の開口部を形成するように構成される。【選択図】図２
2018002259.tif 000002
【特許請求の範囲】
【請求項１】
蓋板部と、内板部と、底板部とを有する梱包材であって、
前記内板部は、
矩形状の第１の折曲部と、
前記第１の折曲部の内側に設けられた、１つ以上の開口端点と、
前記第１の折曲部と、前記開口端点との間に形成された、複数の矩形状の第２の折曲部と、
前記開口端点と前記第１の折曲部の各頂点とを結ぶ線上に設けられた、弱体部と、
を有し、
前記第２の折曲部の各頂点は、前記弱体部が設けられた前記線上に位置し、
前記弱体部の一部又は全部を切り離し、前記第２の折曲部の一部を折り曲げることにより、矩形状の開口部を形成するように構成されたことを特徴とする、前記梱包材。
【請求項２】
前記開口部は、前記弱体部が、前記開口端点の前記各頂点から前記線上に位置する前記第２の折曲部の任意の頂点まで切り離され、前記弱体部の切り離された部分に頂点を有する任意の前記第２の折曲部の任意の辺が折り曲がることにより形成されることを特徴とする、前記梱包材。
【請求項３】
前記蓋板部は、複数の第１の差込片を有し、
前記内板部は、複数の第２の差込片と、複数の第１のスリットと、複数の第２のスリットと、複数の第３のスリットとを有し、
前記底板部は、複数の第３の差込片と、複数の第４の差込片と、複数の第４のスリットとを有し、
前記蓋板部の前記第１の差込片は、前記内板部の前記第１のスリットに差し込まれ、
前記内板部の前記第２の差込片は、前記底板部の前記第４のスリットに差し込まれ、
前記底板部の前記第３の差込片は、前記内板部の前記第２のスリットに差し込まれ、
前記底板部の前記第４の差込片は、前記内板部の前記第３のスリットに差し込まれることを特徴とする、請求項１又は２に記載の梱包材。
【請求項４】
前記弱体部がミシン目状である、請求項１から３のいずれか一項に記載の梱包材。
【請求項５】
前記弱体部の一部が予め切り離されている、請求項１から４のいずれか一項に記載の梱包材。
【請求項６】
前記蓋板部、前記内板部、及び前記底板部は、ダンボール又は厚紙から成る、請求項１から５のいずれか一項に記載の梱包材。
【請求項７】
矩形状の第１の折曲部と、
前記第１の折曲部の内側に形成された、矩形状の開口端点と、
前記第１の折曲部と、前記開口端点との間に形成された、複数の矩形状の第２の折曲部と、
前記開口端点と前記第１の折曲部の各頂点とを結ぶ線上に設けられた、弱体部と、
を有し、
前記第２の折曲部の各頂点は、前記弱体部が設けられた前記線上に位置し、
前記弱体部の一部又は全部を切り離し、前記第２の折曲部の一部を折り曲げることにより、矩形状の開口部を形成するように構成された、梱包材用内板。
【請求項８】
前記弱体部がミシン目状である、請求項７に記載の梱包材用内板。
【請求項９】
前記弱体部の一部が予め切り離されている、請求項７又は８に記載の梱包材用内板。
【請求項１０】
ダンボール又は厚紙から成る、請求項７から９のいずれか一項に記載の梱包材用内板。
【発明の詳細な説明】
【技術分野】
【０００１】
本発明は、額縁用梱包材及び梱包材用内板に関し、特に、絵画等の搬送に適し、額縁等のサイズに合わせて変形可能な額縁用梱包材及び梱包材用内板に関するものである。
【背景技術】
【０００２】
近年、絵画や写真等の美術品を一般の家庭やオフィス、店舗等での鑑賞用、装飾用に貸し出すサービスへの需要が高まり、多数の様々な絵画等の搬送を効率的かつ安全に、低コストで実現することが望まれている。
【０００３】
このような一般のユーザを対象とした貸し出しサービスにおいては、美術館や美術関係者等が扱う比較的高価で、サイズや重量の大きい美術品の大掛かりな搬送と異なり、専門家でなくても扱いやすく、低コストで利用できる搬送の仕組みが必要となる。そのためには、組み立てや収容物の取り付け及び取り外しが容易で、軽量、安価な材料を用いた梱包材が求められる。加えて、貸し出し及び返却という繰り返しの搬送過程において品質を維持するため、貸し出しの対象となる絵画や写真等の美術品を外部からの衝撃による破損や汚損、傷や傷み等から守ることが重要である。
【０００４】
また、絵画や写真等の美術品を収納する額縁やケース等には様々なサイズがあり、縦横比も規格内のものから規格外のものまで様々である。従来の額縁等の梱包においては、様々な額縁等のサイズや縦横比に応じた箱を作成する必要があり、特に、一作品ごとに異なる絵画や写真等の美術品の搬送においては、個々の作品に適したサイズや縦横比の箱を用意するために手間やコストがかかることが問題となっていた。
【先行技術文献】
【特許文献】
【０００５】
【特許文献１】特開２００３−１６０１２４号公報
【特許文献２】特開平１０−２９６２４号公報
【特許文献３】特開平７−２０６０５９号公報
【発明の概要】
【発明が解決しようとする課題】
【０００６】
これらの課題を解決するために、特許文献１は、受箱と蓋箱から成る額縁等包装箱において、包装箱の角部に額縁等の収納物の角を受ける三角柱状のコーナー受部を設けて、外部からの衝撃が額縁に伝わりにくくし、額縁収納時に額縁の各角に形成される隙間に指先を挿入することで、受箱への額縁の出し入れを容易にすることを開示している。
【０００７】
しかしながら、特許文献１の額縁等包装箱は、異なるサイズや縦横比の額縁を収納できず、その額縁のサイズや縦横比に応じた包装箱を作成することを要するため、手間やコストがかかる。
【０００８】
また、特許文献２では、収納物の組立てや出し入れを容易にするため、長方形状の底板の４辺に枠板を備えた２重側板を有する扁平な紙箱であって、紙箱の少なくとも対角線上にある２か所の角部に、枠板の端部に枠板と一体に形成された角部被覆板を有し、角部被覆板は角部被覆板に連接された差込片を紙箱に形成された切込に嵌め込むことにより固定した構成の包装用紙箱を開示している。
【０００９】
しかしながら、特許文献２の包装用紙箱についても、異なるサイズや縦横比の額縁を収納するためには、その額縁のサイズや縦横比に応じて、長さを変えた底板、枠板、２重側板等の包装用紙箱を構成する各板を用意して包装用紙箱を作成することを要するため、手間やコストがかかる。
【００１０】
異なるサイズの絵画の搬送を可能とするために、特許文献３では、ケース基板の内側に絵画等を配置してこれをバンドにて固定する絵画用コンテナーにおいて、ケース基板の対向する二つの辺に取り付けられた一対のバンドのうち一方の辺に取り付けられたバンドの取り付け部分の取り付け位置を辺に直角な方向に調整可能とすることにより、コンテナーよりも小さいサイズの絵画でもバンドで固定できるようにすることを開示している。
【００１１】
しかしながら、特許文献３では、絵画が動き得ないようにバンドを締め付けるため、絵画を傷つけずにしっかりと固定するには技術を要するため、美術関係者や配送業者ではない一般のユーザにとっては困難な場合もある。また、特許文献３では、ケース基板とバンドとは素材が異なるため、異なる素材を用いる分の製造コストがかかる。
【００１２】
そこで、本発明は、上記の全ての課題を解決し、一つのサイズで異なるサイズや縦横比の額縁等を収納可能な額縁用梱包材を提供するものである。
【課題を解決するための手段】
【００１３】
上記課題を解決するため、本発明では、絵画等の搬送に適し、額縁等のサイズや縦横比に合わせて内板部を変形可能な額縁用梱包材を提供する。
【００１４】
本発明の第１の態様では、蓋板部と、内板部と、底板部とを有する梱包材であって、前記内板部は、矩形状の第１の折曲部と、前記第１の折曲部の内側に設けられた、１つ以上の開口端点と、前記第１の折曲部と、前記開口端点との間に形成された、複数の矩形状の第２の折曲部と、前記開口端点と前記第１の折曲部の各頂点とを結ぶ線上に設けられた、弱体部とを有し、前記第２の折曲部の各頂点は、前記弱体部が設けられた前記線上に位置し、前記弱体部の一部又は全部を切り離し、前記第２の折曲部の一部を折り曲げることにより、矩形状の開口部を形成するように構成されたことを特徴とする、前記梱包材を提供する。
【００１５】
本発明の第１の態様における梱包材において、前記開口部は、前記弱体部が、前記開口端点の前記各頂点から前記線上に位置する前記第２の折曲部の任意の頂点まで切り離され、前記弱体部の切り離された部分に頂点を有する任意の前記第２の折曲部の任意の辺が折り曲がることにより形成されることを特徴とする。
【００１６】
本発明の第１の態様における梱包材において、前記蓋板部は、複数の第１の差込片を有し、前記内板部は、複数の第２の差込片と、複数の第１のスリットと、複数の第２のスリットと、複数の第３のスリットとを有し、前記底板部は、複数の第３の差込片と、複数の第４の差込片と、複数の第４のスリットとを有し、前記蓋板部の前記第１の差込片は、前記内板部の前記第１のスリットに差し込まれ、前記内板部の前記第２の差込片は、前記底板部の前記第４のスリットに差し込まれ、前記底板部の前記第３の差込片は、前記内板部の前記第２のスリットに差し込まれ、前記底板部の前記第４の差込片は、前記内板部の前記第３のスリットに差し込まれることを特徴とする。
【００１７】
本発明の第１の態様における梱包材において、前記弱体部がミシン目状である。
【００１８】
また、本発明の第１の態様における梱包材において、前記弱体部の一部が予め切り離されている。
【００１９】
本発明の第１の態様における梱包材において、前記蓋板部、前記内板部、及び前記底板部は、ダンボール又は厚紙から成る。
【００２０】
本発明の第２の態様では、矩形状の第１の折曲部と、前記第１の折曲部の内側に形成された、矩形状の開口端点と、前記第１の折曲部と、前記開口端点との間に形成された、複数の矩形状の第２の折曲部と、前記開口端点と前記第１の折曲部の各頂点とを結ぶ線上に設けられた、弱体部とを有し、前記第２の折曲部の各頂点は、前記弱体部が設けられた前記線上に位置し、前記弱体部の一部又は全部を切り離し、前記第２の折曲部の一部を折り曲げることにより、矩形状の開口部を形成するように構成された、梱包材用内板を提供する。
【００２１】
本発明の第２の態様における梱包材用内板において、前記弱体部がミシン目状である。
【００２２】
本発明の第２の態様における梱包材用内板において、前記弱体部の一部が予め切り離されている。
【００２３】
本発明の第２の態様における梱包材用内板は、ダンボール又は厚紙から成る。
【００２４】
ここで、本発明において、「梱包材」とは、組み立て時に箱形状を有する梱包箱や包装箱等の梱包材、及びこれらの梱包箱や包装箱を組み立てる前の板状の梱包材等を含むものと定義される。
【００２５】
ここで、本発明において、「額縁」とは、絵画や写真、文書等を収納する額縁、木枠、金属製や樹脂製のフレーム、その他あらゆる形状、素材の額縁と同様の機能を有するものを含むものと定義される。
【発明の効果】
【００２６】
本発明の額縁用梱包材によれば、一種類のサイズの額縁用梱包材で異なるサイズや縦横比の額縁等を収納することが可能となる。これにより、額縁用梱包材の製造コストが抑制される。また、サイズが一種類のみであることで、額縁用梱包材の収納や管理等が容易となる。
【００２７】
また、本発明の額縁用梱包材は、少ないパーツ及び素材で構成されるため、製造コストが抑制される。本発明の額縁用梱包材は、主に蓋板部、内板部及び底板部の３つのパーツ又は部分から構成され、蓋板部、内板部及び底板部を同程度のサイズにすることができ、蓋板部、内板部及び底板部を同一の素材とすることができる。
【００２８】
また、本発明の額縁用梱包材は、組み立てが容易であるため、組み立てコストを抑制し、組み立て時間を短縮できる。本発明の額縁用梱包材は、ダンボール又は厚紙等の軽量の素材を用い、特殊な工具等を必要とせずに素手で組み立てることができる。
【００２９】
また、本発明の額縁用梱包材は、その構造により、繰り返しの搬送においても、十分な強度を確保でき、収納物を外部からの衝撃による破損や汚損、傷や傷み等から守ることができる。
【００３０】
また、本発明の額縁用梱包材は、美術関係者は配送業者等の専門家でない一般のユーザであっても、容易に出し入れが可能である。
本発明の他の目的、特徴及び利点は添付図面に関する以下の本発明の実施例の記載から明らかになるであろう。
【図面の簡単な説明】
【００３１】
【図１】図１は、本発明の額縁用梱包材を組み立てた状態の一例を示す斜視図である。
【図２】図２は、本発明の額縁用梱包材に収納物を収納した状態を示す図である。
【図３】図３は、本発明の額縁用梱包材を組み立てた状態の外観を示す図である。
【図４Ａ】図４Ａは、本発明の額縁用梱包材の蓋板部を示す図である。
【図４Ｂ】図４Ｂは、本発明の額縁用梱包材の内板部を示す図である。
【図４Ｃ】図４Ｃは、本発明の額縁用梱包材の底板部を示す図である。
【図５】図５は、本発明の実施例１による内板部の詳細を示す図である。
【図６Ａ】図６Ａは、本発明の実施例によるある態様の開口部を作成する手順を表す図である。
【図６Ｂ】図６Ｂは、本発明の実施例に係る開口部の一例を作成する手順を表す図である。
【図６Ｃ】図６Ｃは、本発明の実施例に係る開口部の一例を作成する手順を表す図である。
【図６Ｄ】図６Ｄは、本発明の実施例に係る開口部の一例を作成する手順を表す図である。
【図７Ａ】図７Ａは、本発明の実施例に係る開口部の他の例を作成する手順を表す図である。
【図７Ｂ】図７Ｂは、本発明の実施例に係る開口部の他の例を作成する手順を表す図である。
【図７Ｃ】図７Ｃは、本発明の実施例に係る開口部の他の例を作成する手順を表す図である。
【図７Ｄ】図７Ｄは、本発明の実施例に係る開口部の他の例を作成する手順を表す図である。
【図８−１】図８−１は、本発明の好適な実施例に係る額縁用梱包材の蓋板部を閉じた状態を示す斜視図である。
【図８−２】図８−２は、図８−１の額縁用梱包材の蓋板部を開けた状態を示す斜視図である。
【図９−１】図９−１は、図８−１の額縁用梱包材の蓋板部の正面図である。
【図９−２】図９−２は、図８−１の額縁用梱包材の蓋板部の背面図である。
【図９−３】図９−３は、図８−１の額縁用梱包材の蓋板部の平面図である。
【図９−４】図９−４は、図８−１の額縁用梱包材の蓋板部の底面図である。
【図９−５】図９−５は、図８−１の額縁用梱包材の蓋板部の右側面図である。
【図９−６】図９−６は、図８−１の額縁用梱包材の蓋板部の左側面図である。
【図１０−１】図１０−１は、図８−１の額縁用梱包材の内板部の正面図である。
【図１０−２】図１０−２は、図８−１の額縁用梱包材の内板部の背面図である。
【図１０−３】図１０−３は、図８−１の額縁用梱包材の内板部の平面図である。
【図１０−４】図１０−４は、図８−１の額縁用梱包材の内板部の底面図である。
【図１０−５】図１０−５は、図８−１の額縁用梱包材の内板部の右側面図である。
【図１０−６】図１０−６は、図８−１の額縁用梱包材の内板部の左側面図である。
【図１１−１】図１１−１は、図８−１の額縁用梱包材の底板部の正面図である。
【図１１−２】図１１−２は、図８−１の額縁用梱包材の底板部の背面図である。
【図１１−３】図１１−３は、図８−１の額縁用梱包材の底板部の平面図である。
【図１１−４】図１１−４は、図８−１の額縁用梱包材の底板部の底面図である。
【図１１−５】図１１−５は、図８−１の額縁用梱包材の底板部の右側面図である。
【図１１−６】図１１−６は、図８−１の額縁用梱包材の底板部の左側面図である。
【発明を実施するための形態】
【実施例１】
【００３２】
図１は、本発明の額縁用梱包材１を組み立てた状態の一例を示す斜視図である。本発明の額縁用梱包材１は、蓋板部１０と、内板部２０と、底板部３０とを有する。図１に示すように、内板部２０の中央部分を変形させることにより開口を形成し、梱包材１の内部に収納物２を収納することが可能となる。
【００３３】
蓋板部１０、内板部２０及び底板部３０は、好ましくは、ダンボール又は厚紙から成るが、これに限られず、任意の板状の紙素材、その他の板状素材を用いてもよい。
【００３４】
図２は、本発明の額縁用梱包材１に収納物２を収納した状態を示す図である。収納物２は、例えば、絵画や写真等を収納した額縁等である。収納物２は、梱包材１の内板部２０の中央部分に形成された開口に収納される。組み立てられた梱包材１の蓋板部１０を閉じると、図３のように、直方体の箱を形成する。
【００３５】
図４Ａは、本発明の額縁用梱包材１の蓋板部１０を示す図である。図４Ｂは、本発明の額縁用梱包材１の内板部２０を示す図である。図４Ｃは、本発明の額縁用梱包材１の底板部３０を示す図である。梱包材１は、蓋板部１０と内板部２０とを連結し、内板部２０と底板部３０とを連結することにより組み立てられて、直方体の箱を形成する。
【００３６】
図４Ａに示されるように、蓋板部１０は、端部に複数の第１の差込片１１を有する。図４Ｂに示されるように、内板部２０は、複数の第２の差込片２１と、複数の第１のスリット２２と、複数の第２のスリット２３と、複数の第３のスリット２４とを有する。図４Ｃに示されるように、底板部３０は、端部に複数の第３の差込片３１と、複数の第４の差込片３２と、複数の第４のスリット３３とを有する。
【００３７】
蓋板部１０の第１の差込片１１は、内板部２０の対応する第１のスリット２２に差し込まれ、蓋板部１０と内板部２０とを連結する。内板部２０の第２の差込片２１は、底板部３０の第４のスリット３３に差しこまれ、内板部２０と底板部３０とを連結する。底板部３０の第３の差込片３１は、内板部２０の第２のスリット２３に差し込まれ、内板部２０と底板部３０とを連結する。底板部３０の第４の差込片３２は、内板部２０の第３のスリット２４に差し込まれ、内板部２０と底板部３０とを連結する。これにより、図３のような直方体の箱を形成する。
【００３８】
本発明の課題は、特に内板部２０の構造により解決される。内板部２０は、折り曲げと切り離しにより中央部分を変形することが可能である。これにより、図１に示されるような開口を形成し、その開口に収納物２を収納することができる。内板部２０の折り曲げと切り離しの位置を変えることにより、収納物２のサイズや縦横比に応じた適切なサイズ及び形状の開口を形成することができる。以下、内板部２０の構造について図５を参照しながら説明する。
【００３９】
図５は、本発明の実施例１による内板部２０の詳細を示す図である。図５に例示されるように、内板部２０は、矩形状の第１の折曲部４０を有し、第１の折曲部４０の内側には１つ以上の開口端点５０を有する。また、内板部２０は、第１の折曲部４０と、開口端点５０との間に、複数の矩形状の第２の折曲部６０と、開口端点５０と第１の折曲部４０の各頂点４１とを結ぶ線上に設けられた、弱体部７０とを有する。第２の折曲部６０の各頂点６１は、弱体部７０が設けられた線上に位置する。内板部２０の弱体部７０の一部又は全部を切り離し、第２の折曲部６０の一部を折り曲げることにより、矩形状の開口部８０を形成する。形成された矩形状の開口部８０に、額縁等の収納物２が収納される。
【００４０】
具体的には開口部８０は、弱体部７０を開口端点５０から、弱体部７０が設けられた線上に位置する第２の折曲部６０の任意の頂点６１まで切り離し、弱体部の切り離された部分に頂点を有する任意の前記第２の折曲部の任意の辺を折り曲げることにより形成される。
【００４１】
開口端点５０は、典型的には、図５に示すように、長方形又は正方形の４つの頂点の位置に設けられるが、これに限定されず、開口端点５０は、台形や平行四辺形等、任意の矩形の頂点に設けてもよい。開口端点５０を頂点とする矩形は、梱包材１の外形、第１の折曲部４０又は第２の折曲部６０と相似形にしてもよいし、異なる形状にしてもよい。例えば、図５のように、開口端点５０を頂点とする矩形と、梱包材１の外形、第１の折曲部４０又は第２の折曲部６０とが共に長方形又は正方形であってもよいし、梱包材１の外形が長方形であるが、開口端点５０を頂点とする矩形、第１の折曲部４０又は第２の折曲部６０を正方形又は他の多角形としてもよい。
【００４２】
開口端点５０を頂点とする矩形は、予め切り抜かれ開口を形成する。各開口端点５０と、開口端点５０から最も近い第２の折曲部６０の各頂点６１とを結ぶ線は、好ましくは、予め切り離されているが、ミシン目状の弱体部としてもよい。
【００４３】
第１の折曲部４０は、第２の折曲部６０よりも外側の梱包材１を箱状に組み立てた際の外縁に最も近い位置に設けられる。第１の折曲部４０は、典型的には、図５のような長方形又は正方形であるが、これに限定されず、台形や平行四辺形等、任意の矩形であってもよい。第１の折曲部４０は、折り曲げが可能なように内板部２０の表面に筋又は切り込み又は切り込みを入れる。第１の折曲部４０の表面に入れる筋又は切り込みは、連続的な直線でもよいし、ミシン目状の直線でもよい。第１の折曲部４０は、梱包の強度を維持するために、第２の折曲部６０よりも折り曲げにくいように、第２の折曲部６０よりも弱い筋又は切り込みを入れるようにしてもよい。
【００４４】
第２の折曲部６０は、第１の折曲部４０と開口端点５０との間に複数個設けられる。第２の折曲部６０は、開口部８０のサイズ及び形状を決定する。複数の第２の折曲部６０を設けることで、収納物２のサイズ及び縦横比に適した開口部８０のサイズ及び形状を柔軟に選択することが可能となる。
【００４５】
第２の折曲部６０は、典型的には、図５のような長方形又は正方形であるが、これに限定されず、台形や平行四辺形等、任意の矩形であってもよい。図５の例では、大きさの異なる複数の第２の折曲部６０が、開口端点５０から第１の折曲部４０に向かって、一定の間隔で設けられる。複数の第２の折曲部６０の間隔は、等間隔であってもよいし、異なる任意の間隔でもよい。好ましくは、複数の第２の折曲部６０の間隔は、梱包材１の深さ、即ち、組み立てられた状態での内板部２０と底板部３０との距離の２分の１か、２分の１よりも１〜５ｍｍ程度小さいが、これに限定されず、複数の第２の折曲部６０の間隔を内板部２０と底板部３０との距離と同一又は同程度にしてもよいし、他の任意の長さにしてもよい。複数の第２の折曲部６０の間隔は、例えば１０ｍｍ〜５０ｍｍ、好ましくは３０ｍｍとしてもよいが、これに限られるものではない。
【００４６】
第２の折曲部６０は、折り曲げが可能なように内板部２０の表面に筋又は切り込みを入れる。第２の折曲部６０の表面に入れる筋又は切り込みは、好ましくは、図５のように、ミシン目状の直線であるが、連続した直線でもよい。第２の折曲部６０の表面に入れるミシン目状の直線は、弱体部７０のミシン目よりも粗く、容易に破断しないようにすることが好ましい。第２の折曲部６０は、第１の折曲部４０よりも折り曲げやすいように、第１の折曲部４０よりも強い筋又は切り込みを入れるようにしてもよい。
【００４７】
第２の折曲部６０の表面に入れるミシン目状の直線は、内板部２０のおもて面、即ち、蓋板部１０を開いたときに見える面には薄く入れたり、ミシン目の数を少なくしたりして目立たないようにしてもよい。一方、内板部２０の裏面、即ち、蓋板部１０を開いたときに見える面の裏側の面は、ユーザからは見えないため、第２の折曲部６０の表面に入れるミシン目状の直線は、折り曲げが可能なようにはっきりと付けるようにしてもよい。
【００４８】
弱体部７０は、好ましくは、ミシン目状である。弱体部７０のミシン目は、好ましくは、第２の折曲部６０のミシン目よりも細かく、第２の折曲部６０等の他の部分に比べ容易に破断できるようにする。
【００４９】
図６Ａ〜６Ｄは、本発明の実施例１に係る開口部８０の一例を作成する手順を表す図である。
（１）まず、図６Ａにおいて、内板部２０の弱体部７０を各開口端点５０から、第２の折曲部６０の任意の頂点６１に相当する点Ｐ１１、Ｐ１２、Ｐ１３、Ｐ１４まで切り離す。
（２）次に、図６Ｂにおいて、点Ｑ１１、Ｑ１２、Ｑ１３及びＱ１４を頂点とする第２の折曲部６０のうち、点Ｑ１１と点Ｑ１２とを結ぶ線及び、点Ｑ１３と点Ｑ１４とを結ぶ線を、図６Ｂに記載の面から見て、直角に山折りにする。
（３）点Ｑ１１、Ｑ１２、Ｑ１３及びＱ１４から２つ分だけ内側の第２の折曲部６０の頂点に相当する点Ｒ１１、Ｒ１２、Ｒ１３、Ｒ１４のうち、点Ｒ１１と点Ｒ１２とを結ぶ線及び、点Ｒ１３と点Ｒ１４とを結ぶ線を、図６Ｂに記載の面から見て、直角に谷折りにする。開口端点５０は、例えば、両面テープ等の接着剤で、底板部３０に固定する。
（４）次に、図６Ｂにおいて、点Ｐ１１と点Ｐ１４とを結ぶ線及び、点Ｐ１２と点Ｐ１３とを結ぶ線を、図６Ｂに記載の面から見て、直角に山折りにする。
（５）次に、点Ｑ１１と点Ｑ１４とを結ぶ線及び、点Ｑ１２と点Ｑ１３とを結ぶ線を、図６Ｂに記載の面から見て、直角に谷折りにする。開口端点５０は、例えば、両面テープ等の接着剤で、底板部３０に固定する。
【００５０】
上記（１）〜（５）を行うことにより、図６Ｃに示すような開口部８０が形成される。この開口部８０が形成された状態において、図６Ｂの点Ｐ１１、Ｑ１１、Ｑ１４及びＰ１４で囲まれた面と、点Ｑ１２、Ｐ１２、Ｐ１３及びＱ１３で囲まれた面と、点Ｑ１１、Ｑ１２、Ｒ１２及びＲ１１で囲まれた面と、点Ｒ１４、Ｒ１３、Ｑ１３及びＱ１４で囲まれた面とが、収納物２を支持する側壁を形成する。
【００５１】
図６Ｄは、開口部８０に収納物２を収納した状態を示す。収納物２は、第２の折曲部６０を折り曲げることにより形成された側壁により支持される。点Ｐ１１、Ｐ１２、Ｐ１３及びＰ１４を第２の折曲部６０のいずれの頂点とするかは、収納物２の横幅に応じて決定する。また、点Ｑ１１、Ｑ１２、Ｑ１３及びＱ１４を第２の折曲部６０のいずれの頂点とするかは、収納物２の縦幅に応じて決定する。収納物２と開口部８０により形成された側壁との隙間には、スポンジやエア・クッション等の緩衝材を埋めるようにしてもよい。
【００５２】
図７Ａ〜７Ｄは、本発明の実施例１に係る開口部の他の例を作成する手順を表す図である。
（１）図６Ａ〜７Ｄの場合と同様に、まず、図７Ａにおいて、内板部２０の弱体部７０を各開口端点５０から、第２の折曲部６０の任意の頂点６１に相当する点Ｐ２１、Ｐ２２、Ｐ２３、Ｐ２４まで切り離す。
（２）次に、図７Ｂにおいて、点Ｑ２１、Ｑ２２、Ｑ２３及びＱ２４を頂点とする第２の折曲部６０のうち、点Ｑ２１と点Ｑ２２とを結ぶ線及び、点Ｑ２３と点Ｑ２４とを結ぶ線を、図７Ｂに記載の面から見て、直角に山折りにする。
（３）点Ｑ２１、Ｑ２２、Ｑ２３及びＱ２４から２つ分だけ内側の第２の折曲部６０の頂点に相当する点Ｒ２１、Ｒ２２、Ｒ２３、Ｒ２４のうち、点Ｒ２１と点Ｒ２２とを結ぶ線及び、点Ｒ２３と点Ｒ２４とを結ぶ線を、図７Ｂに記載の面から見て、直角に谷折りにする。開口端点５０は、例えば、両面テープ等の接着剤で、底板部３０に固定する。
（４）次に、図７Ｂにおいて、点Ｐ２１と点Ｐ２４とを結ぶ線及び、点Ｐ２２と点Ｐ２３とを結ぶ線を、図７Ｂに記載の面から見て、直角に山折りにする。
（５）次に、点Ｓ２１と点Ｓ２４とを結ぶ線及び、点Ｓ２２と点Ｓ２３とを結ぶ線を、図７Ｂに記載の面から見て、直角に谷折りにする。開口端点５０は、例えば、両面テープ等の接着剤で、底板部３０に固定する。
【００５３】
上記（１）〜（５）を行うことにより、図７Ｃに示すような開口部８０が形成される。この開口部８０が形成された状態において、図７Ｂの点Ｐ２１、Ｓ２１、Ｓ２４及びＰ２４で囲まれた面と、点Ｓ２２、Ｐ２２、Ｐ２３及びＳ２３で囲まれた面と、点Ｑ２１、Ｑ２２、Ｒ２２及びＲ２１で囲まれた面と、点Ｒ２４、Ｒ２３、Ｑ２３及びＱ２４で囲まれた面とが、収納物２を支持する側壁を形成する。
【００５４】
図７Ｄは、開口部８０に収納物２を収納した状態を示す。収納物２は、第２の折曲部６０を折り曲げることにより形成された側壁により支持される。点Ｐ２１、Ｐ２２、Ｐ２３及びＰ２４を第２の折曲部６０のいずれの頂点とするかは、収納物２の横幅に応じて決定する。また、点Ｑ２１、Ｑ２２、Ｑ２３及びＱ２４を第２の折曲部６０のいずれの頂点とするかは、収納物２の縦幅に応じて決定する。収納物２と開口部８０により形成された側壁との隙間には、スポンジやエア・クッション等の緩衝材を埋めるようにしてもよい。
【００５５】
図６Ｄと図７Ｄとを比較して分かるように、図６Ｄでは、より横幅が広い収納物２が収納され、図７Ｄでは、より縦長の収納物２が収納される。このように、収納物２のサイズや縦横比に応じて、開口部８０のサイズ及び形を変更することができる。
【００５６】
開口部８０は矩形状であり、開口部８０の複数の辺が折り曲げられた第２の折曲部６０の辺に相当し、それ以外の複数の辺が切り離された弱体部７０の一部に相当する。開口部８０は、図６Ｃ及び７Ｃの例では、左右がくびれた形状であるが、複数の第２の折曲部６０のうち任意の一つの第２の折曲部６０の矩形と同一の形状にすることもできる。即ち、例えば、図６Ｃにおいて、点Ｑ１１とＱ１２とを結ぶ線及び、点Ｑ１４とＱ１３とを結ぶ線を折り曲げる代わりに、点Ｐ１１とＰ１２とを結ぶ線及び、点Ｐ１４とＰ１３とを結ぶ線とを折り曲げることにより、点Ｐ１１、Ｐ１２、Ｐ１３及びＰ１４を頂点とする第２の折曲部６０の四角形と一致するようにすることもできる。
【００５７】
図６Ｄ及び７Ｄの例では、開口部８０の四隅には、収納物２との間に隙間が形成される。この隙間があることにより、この隙間から指を入れて収納物２を取り出すことができ、収納物２の取り出しが容易にできる。また、この隙間により、衝撃を緩衝することも可能である。
【００５８】
図８−１〜図１１−６までは、本発明の好適な実施例に係る額縁用梱包材の外観を示す図であるが、これに限定されず、種々の変更が可能である。
図８−１は、本発明の好適な実施例に係る額縁用梱包材の蓋板部を閉じた状態を示す斜視図である。
図８−２は、図８−１の額縁用梱包材の蓋板部を開けた状態を示す斜視図である。図８−２では、内板部２０に開口部８０が形成される前の状態を示している。
図９−１は、図８−１の額縁用梱包材の蓋板部の正面図である。
図９−２は、図８−１の額縁用梱包材の蓋板部の背面図である。
図９−３は、図８−１の額縁用梱包材の蓋板部の平面図である。
図９−４は、図８−１の額縁用梱包材の蓋板部の底面図である。
図９−５は、図８−１の額縁用梱包材の蓋板部の右側面図である。
図９−６は、図８−１の額縁用梱包材の蓋板部の左側面図である。
図１０−１は、図８−１の額縁用梱包材の内板部の正面図である。
図１０−２は、図８−１の額縁用梱包材の内板部の背面図である。
図１０−３は、図８−１の額縁用梱包材の内板部の平面図である。
図１０−４は、図８−１の額縁用梱包材の内板部の底面図である。
図１０−５は、図８−１の額縁用梱包材の内板部の右側面図である。
図１０−６は、図８−１の額縁用梱包材の内板部の左側面図である。
図１１−１は、図８−１の額縁用梱包材の底板部の正面図である。
図１１−２は、図８−１の額縁用梱包材の底板部の背面図である。
図１１−３は、図８−１の額縁用梱包材の底板部の平面図である。
図１１−４は、図８−１の額縁用梱包材の底板部の底面図である。
図１１−５は、図８−１の額縁用梱包材の底板部の右側面図である。
図１１−６は、図８−１の額縁用梱包材の底板部の左側面図である。
【００５９】
以上の実施例では、収納物２として絵画や写真等を収納した額縁等を想定して説明したが、収納物２は額縁等に限られず、他の物品でもよい。また、図６Ｄ及び７Ｄ等では、収納物２の形状が四角形として例示されているが、開口部８０の側壁により支持可能な形状であれば、他の任意の形状の収納物２を収納することができる。また、第２の折曲部６０の数は図面に記載された数に限定されるものではない。
【００６０】
また、以上の実施例及び図面においては、蓋板部１０、内板部２０及び底板部３０が、梱包材１の組み立て前においてそれぞれ分離したパーツを構成する例について説明したが、これに限定されるものではない。即ち、梱包材１の組み立て前において、例えば、内板部２０と底板部３０とが分離されておらず、一枚の板を構成するようにしてもよい。組み立て前において一枚の板を構成する組み合わせは、内板部２０及び底板部３０のみに限られず、蓋板部１０及び底板部３０、蓋板部１０及び内板部２０等あらゆる任意の組み合わせであってもよい。また、組み立て前において、蓋板部１０、内板部２０及び底板部３０が分離されておらず、一枚の板を構成するようにしてもよい。
【００６１】
また、梱包材１は、組み立て後において、蓋板部１０、内板部２０及び底板部３０の全てを有する場合に限られず、例えば、蓋板部１０を用いず、内板部２０及び底板部３０のみで構成するようにしてもよい。さらに、梱包材１の組み立て前に、部品として流通等をする段階においては、蓋板部１０、内板部２０及び底板部３０の全てを備える場合に限られず、それぞれ単体の部品として又は蓋板部１０、内板部２０及び底板部３０のうちの二つ以上のあらゆる任意の組み合わせを備える部品として流通等をする場合が含まれ得る。
上記記載は実施例についてなされたが、本発明はそれに限らず、本発明の精神と添付の請求の範囲の範囲内で種々の変更および修正をすることができることは当業者に明らかである。
【符号の説明】
【００６２】
１  梱包材
２  収納物
１０  蓋板部
１１  第１の差込片
２０  内板部
２１  第２の差込片
２２  第１のスリット
２３  第２のスリット
２４  第３のスリット
３０  底板部
３１  第３の差込片
３２  第４の差込片
３３  第４のスリット
４０  第１の折曲部
５０  開口端部
６０  第２の折曲部
６１  頂点
７０  弱体部
８０  開口部
【図１】
2018002259.tif 000003
【図２】
2018002259.tif 000004
【図３】
2018002259.tif 000005
【図４Ａ】
2018002259.tif 000006
【図４Ｂ】
2018002259.tif 000007
【図４Ｃ】
2018002259.tif 000008
【図５】
2018002259.tif 000009
【図６Ａ】
2018002259.tif 000010
【図６Ｂ】
2018002259.tif 000011
【図６Ｃ】
2018002259.tif 000012
【図６Ｄ】
2018002259.tif 000013
【図７Ａ】
2018002259.tif 000014
【図７Ｂ】
2018002259.tif 000015
【図７Ｃ】
2018002259.tif 000016
【図７Ｄ】
2018002259.tif 000017
【図８−１】
2018002259.tif 000018
【図８−２】
2018002259.tif 000019
【図９−１】
2018002259.tif 000020
【図９−２】
2018002259.tif 000021
【図９−３】
2018002259.tif 000022
【図９−４】
2018002259.tif 000023
【図９−５】
2018002259.tif 000024
【図９−６】
2018002259.tif 000025
【図１０−１】
2018002259.tif 000026
【図１０−２】
2018002259.tif 000027
【図１０−３】
2018002259.tif 000028
【図１０−４】
2018002259.tif 000029
【図１０−５】
2018002259.tif 000030
【図１０−６】
2018002259.tif 000031
【図１１−１】
2018002259.tif 000032
【図１１−２】
2018002259.tif 000033
【図１１−３】
2018002259.tif 000034
【図１１−４】
2018002259.tif 000035
【図１１−５】
2018002259.tif 000036
【図１１−６】
2018002259.tif 000037